(57)【要約】  【課題】１以上の対象物を固定するための、規定されたスリットを有する、細長いフックアンドループファスニングストラップを提供する。  【解決手段】前記ファスニングストラップ(10,30,70)は、スリット(19,39,59,79,89)のおおむね上方に配されている係合端部(17,37,57,77) と、スリットのおおむね下方に配されているアンカー端部(18,38,58,78) とを含む。前記係合端部は、アンカー端部が取り付けられた基材から引き剥がされ、固定されるべき対象物の周囲に包まれる。前記係合端部はそこで前記スリットを通り抜け、基材(100,300) 上に係合される。ストラップのアンカー端部と基材との間の係合せん断力は、係合端部が基材から引き剥がされるとき、基材にストラップを保持するのに十分であり、ストラップを基材に固定するための他の接着方法の必要性を軽減させ、ユーザーが、片手を使ってストラップを固定することを可能にする。  【選択図】図２
2009039537.tif 000002
【特許請求の範囲】
【請求項１】
１以上の対象物の周囲を固定するためのファスニングストラップであって、前記ストラップは、
上面、
各ループ材若しくはフックの領域を係合するためのフックの領域若しくはループ材の１つから構成される、前記上面とは反対の下面、
アンカー端部、
係合端部、及び、
前記アンカー端部と前記係合端部との間に伸びる細長体、
を備えており、
前記細長体はスリットを規定し、前記スリットは、２つの端部と前記端部の間の中間部を有し、前記端部は、前記細長体の長手方向軸に沿った前記中間部に対し、前記アンカー端部に向かって配されており、
前記細長体は、
前記端部と前記スリットの中間部との間に配された舌部、及び、
前記長手方向軸に対し、前記スリットと舌部の各側に隣接して、横向きに配される２つの脚部を備えており、前記脚部は、前記舌部のフット部の幅よりも小さい結合した幅を有し、前記舌部のフット部は、前記スリットの端部を通って伸びる、実質的な横軸に沿って配されており、また、
前記係合端部は、前記舌部の前記フット部の幅よりも小さい幅を有し、前記ストラップの前記係合端部が１以上の対象物の周囲に包まれる時、前記係合端部が、前記舌部のフット部と前記脚部によって規定される開口を通ることを許容することを特徴とするフックアンドループファスニングストラップ。
【請求項２】
前記スリットの端部を通って伸びる前記横軸は、長手方向軸と、実質的に直交している、請求項１記載のストラップ。
【請求項３】
前記スリットの中間部は、おおむね弓形状である、請求項１記載のストラップ。
【請求項４】
前記スリットの中間部と前記舌部のフット部は、ストラップの係合端部がアンカー端部に向けて引っ張られた時、おおむね三角形状の開口を形成する、請求項１記載のストラップ。
【請求項５】
前記スリットの中間部と前記舌部のフット部は、ストラップの係合端部がアンカー端部に向けて引っ張られた時、おおむね四角形状の開口を形成する、請求項１記載のストラップ。
【請求項６】
前記スリットは第１スリットであり、前記細長体は、さらに、２つの端部と中間部を有する第２スリットを規定し、
前記第２スリットの２つの端部は、前記細長体の長手方向軸に沿った前記第２スリットの中間部に対し、前記係合端部に向けて配されている、請求項１記載のストラップ。
【請求項７】
前記舌部は、第１舌部であり、前記脚部は前記第１脚部であり、前記細長体はさらに、前記第２スリットの中間部と前記第２スリットの端部との間に配された第２舌部と、前記長手方向軸に対し、前記第２スリットと前記第２舌部の各側に隣接して横向きに配された２つの第２脚部を規定しており、前記第２脚部は、前記第２舌部のフット部の幅よりも小さい結合した幅を有しており、前記第２舌部の前記フット部は、前記第２スリットの前記端部を通って伸びる、実質的な横軸に沿って配されている、請求項６記載のストラップ。
【請求項８】
前記ストラップの前記下面は、前記下面と一体に形成される複数のフックを備えてなる、請求項１記載のストラップ。
【請求項９】
前記ストラップと前記フックは、ナイロン材料から形成される、請求項８記載のストラップ。
【請求項１０】
前記細長体は、係合端部を備え、前記舌部のフット部の幅よりも小さな幅を有する係合部を備えている、請求項１記載のストラップ。
【請求項１１】
基材に隣接した１以上の対象物を固定するための、フックアンドループファスナーの取付製品であって、前記取付製品は、
少なくとも一部は、フックの領域若しくはループ材の１つを規定する上面からなる基材、及び
前記基材に隣接した１以上の対象物を固定するためのストラップを備えており、前記ストラップは、
上面と、
前記基材の前記フック若しくは前記ループ材をそれぞれ係合するための、ループ材若しくはフックの領域の１つを備えている、前記上面とは反対の下面、
アンカー端部、
係合端部、及び、
前記アンカー端部と前記係合端部との間に伸びる細長体、を備えており、
前記細長体はスリットを規定し、前記スリットは２つの端部と前記端部の間の中間部を有し、前記端部は、前記細長体の長手方向軸に沿った前記中間部に対し、前記アンカー端部に向かって配されており、
前記細長体は、
前記端部と前記スリットの中間部との間に配された舌部、及び、
前記長手方向軸に対し、前記スリットと舌部の各側に隣接して、横向きに配される２つの脚部を備えており、前記脚部は、前記舌部のフット部の幅よりも小さい結合した幅を有し、前記舌部のフット部は、前記スリットの端部を通って伸びる、実質的な横軸に沿って配されており、また、
前記係合端部は、前記舌部の前記フット部の幅よりも小さい幅を有し、前記ストラップの前記係合端部が１以上の対象物の周囲に包まれる時、前記係合端部が、前記舌部のフット部と前記脚部によって規定される開口を通ることを許容する、
ことを含んでなることを特徴とするフックアンドループファスナーの取付製品。
【請求項１２】
前記ストラップに隣接した１以上の対象物を固定するために、前記１以上の対象物は、前記舌部のフット部に隣接して配され、前記係合端部は、前記基材からアンカー端部に向けて、上方に引っ張られ、前記舌部のフット部及び前記脚部によって規定された前記開口を通って、前記１以上の対象物及び前記舌部との間を通り抜け、また前記開口を通り抜けた前記細長体の下面の少なくとも一部が、前記基材上に係合される、請求項１１記載のフックアンドループファスナーの取付製品。
【請求項１３】
前記基材は、前記下面上に接着剤を備えている、請求項１１記載のフックアンドループファスナーの取付製品。
【請求項１４】
前記ストラップと前記舌部のフット部との間のせん断力は、前記係合端部と前記脚部を、前記基材から上方に剥がすために必要とされる剥離力よりも実質的に大きい、請求項１１記載のフックアンドループファスナーの取付製品。
【発明の詳細な説明】
【技術分野】
【０００１】
本発明は、基材に対象物を取り付けるためのフックアンドループファスニングストラップとそのファスニングストラップによって対象物が基材に取り付けられた取付製品に関する。
【背景技術】
【０００２】
フックアンドループファスニングストラップは、フック若しくはループ材をその上面に有し、その下面に接着材を有する基材に隣接する対象物を固定するために、多様な用途において使用することができる。例えば、前記基材の下面は、患者の皮膚に付着し、基材に固定されたストラップは、同基材に隣接する患者の身体に差し込まれているカテーテルを動かないようにするために使用されることが可能である。他の例では、基材は壁、電化製品、あるいはキャビネットに固定され、ストラップは、基材に対し、ケーブルやワイヤーを保持するために使用されることも可能である。
【０００３】
図８に示されているように、多くの、従来のフックアンドループファスニングストラップ５００は、ストラップ５００に隣接した図示せぬ対象物を固定するために、ストラップの端に形成された孔５０１を規定する。
【０００４】
しかしながら、そういったストラップ５００の係合端部５０２をストラップの孔５０１に通したとき、ストラップ５００の下面上の図示せぬフック（あるいは、ループ材）が、孔５０１に隣接した図示せぬ基材のループ材（あるいは、フック）に引っ掛かってしまいやすく、その結果、ユーザーは、基材との自然な係合を避けながら、ストラップ５００を孔５０１へとガイドするために、しばしば両手を必要とすることになる。
【０００５】
加えて、ストラップ５００は、ストラップ５００が固定されるべき物体の周りに係合しているとき、ストラップ５００が基材から完全に離れるのを防ぐために、ストラップ５００と基材との間のフック及びループ材の係合（あるいは、せん断）力以外の接合方法を利用して、通常は永久的に、あるいは、半永久的に基材に固定されているものである。例えば、その接合方法は、縫製、超音波あるいはＲＦ溶接、熱積層、あるいは、感圧性接着剤を使用することを含む。この取付製品のこのタイプの一例は、米国特許第４，６１７，０１７号明細書（特許文献１）に示されている。
【特許文献１】米国特許第４，６１７，０１７号明細書
【発明の開示】
【発明が解決しようとする課題】
【０００６】
しかして、ストラップを基材に固定するために、追加的な接合方法を使用しなければならないということは、煩わしく、時間を浪費し、ユーザーが、基材上のストラップの位置を変えることを妨げる。さらに、上記の接合方法の少なくともいくつか、例えば、感圧性粘着剤を使用すると、破損し、時間とともに役に立たなくなる。
【０００７】
従って、改良されたフックアンドループファスニングストラップとその取付製品が、当技術分野において必要とされている。
【課題を解決するための手段及び作用効果】
【０００８】
本発明の様々な実施例は、１以上の対象物を共に固定するためのファスニングストラップを提供する。前記ファスニングストラップは、（１）上面、（２）ループ材若しくはフックをそれぞれ係合するためのフック若しくはループ材を含む、前記上面とは反対の下面、（３）アンカー端部、（４）係合端部、及び、（５）前記アンカー端部と前記係合端部との間に伸びる細長体を含んでいる。前記細長体はスリットを規定し、前記スリットは２つの端部と前記端部の間の中間部を有する。前記端部は、前記細長体の長手方向軸に沿った前記中間部に対し、前記アンカー端部に向かって配されている。加えて、前記細長体は、前記端部と前記スリットの中間部との間に配された舌部と、前記長手方向軸に対し、前記スリットと舌部の各側に隣接して、横向きに配される２つの脚部を含んでいる。前記脚部は、前記舌部のフット部の幅よりも小さい結合した幅を有し、前記舌部のフット部は、前記スリットの端部を通って伸びる、実質的な横軸に沿って配されている。加えて、前記係合端部は、前記ストラップの前記係合端部がアンカー端部に向けて引っ張られたとき、前記係合端部が、前記舌部のフット部と前記脚部によって規定される開口を通ることを許容する、前記舌部の前記フット部の幅よりも小さい幅を有する。
【０００９】
ある実施例においては、前記スリットの中間部は、おおむね弓形状である。別の実施例においては、前記スリットの中間部と前記舌部のフット部は、ストラップの係合端部がアンカー端部に向けて引っ張られたとき、おおむね三角形状の開口を形成する。また別の実施例では、前記スリットの中間部と前記舌部のフット部とは、ストラップの係合端部がアンカー端部に向けて引っ張られたとき、おおむね四角形状の開口を形成する。
【００１０】
様々な実施例によると、フックアンドループファスナーの取付製品は、基材に隣接した１以上の対象物を固定するために提供される。前記取付製品は、基材及び上述したようなファスニングストラップを含む。基材は、上面を含み、前記上面の少なくとも一部は、ファスニングストラップの下面上の、対応するループ材若しくはフックの領域をそれぞれ係合するためのフックの領域若しくはループ材を規定する。前記ストラップ及び基材に隣接した１以上の対象物を固定するために、前記１以上の対象物は、前記ストラップの舌部のフット部に隣接して配され、前記係合端部は、前記基材からアンカー端部に向けて、上方に引っ張られ、前記舌部のフット部及び前記脚部によって規定された前記開口を通して、前記１以上の対象物及び前記舌部との間を通り抜ける。前記開口を通り抜けた前記細長体の下面の少なくとも一部が、前記基材上に係合される。ある実施例では、前記基材は、その下面上に接着剤を含んでいる。
【００１１】
本発明の様々な実施例のためには、従来技術において使用される追加的接着方法は不要である。何故なら、前記舌部のフット部における、前記ストラップと基材との間のせん断力は、前記係合端部と前記脚部を、前記基材から上方に剥がすために必要とされる剥離力よりも実質的に大きいからである。加えて、様々な実施例によると、前記舌部は、ストラップの係合端部の下面がストラップの開口を簡単に通り易くし、それによって、基材に対しストラップの組み立てを、両手を使って行う必要性を避けることが可能である。
【発明を実施するための最良の形態】
【００１２】
以下、本発明の代表的な実施形態を実施例に基づき、添付図面を参考にしながらより詳しく説明する。図面には、本発明のいくつかの、しかし全てではない実施例が示されている。発明の様々な実施例を一般的な用語で記載したので、添付の図面に符号を付すことにする。なお、前記図は必ずしも原寸に比例して描かれてはいない。また、本発明は、多くの異なった形式で具体化されることができ、ここに記載された実施例に限定されるように減縮して解されるべきものではない。これらの実施例は、本開示が、応用可能な法的要件を満たすために提供されたものである。
【００１３】
本発明の様々な実施例は、１以上の対象物を共に固定するための、規定されたスリットを有する、細長いフックアンドループファスニングストラップを提供している。前記ファスニングストラップは、固定されるべき対象物の周囲を包み、ストラップの一端は、スリットを通り抜けて、対応するフック若しくはループ材と係合している。これらの実施例によると、ストラップは、対象物同士を固定するために接着剤を利用するストラップと比べると、より長く続く保持能力を提供する。さらに、ストラップが、その上に対応するフックあるいはループ材を有している基材とともに使用される実施例においては、ストラップと基材との間の係合せん断力は、ストラップを基材に保持するのに十分であり、ストラップを基材に固定するための他の接着方法を利用する必要性を減らし、ユーザーが片手を使って対象物の周囲にストラップを固定することを可能にする。さらに、様々な実施例によると、ストラップ中にスリットを裁断することは、その中に孔を規定するストラップに比べれば、ストラップの製造時間とコストを減らすことになる。
【００１４】
まず本発明のファスニングストラップについて、図面を参照して具体的に説明する。
図１及び２は、本発明の一実施例による細長いファスニングストラップを示している。ストラップ１０は、上面１２、上面１２と反対側の、ループ材を係合するためのフックの領域（図示せず）を含む下面１４、アンカー端部１８、係合端部１７、及びアンカー端部１８と係合端部１７との間に結ぶ細長体１３を含む。細長体１３は、スリット１９を規定し、スリット１９は二つの端部２１ａ、２１ｂと、端部２１ａ、２１ｂとの間に中間部２２を有している。前記端部２１ａと２１ｂは、細長体１３の長手方向軸Ａに沿った中間部２２に対し、アンカー端部１８に向かって配されている。
【００１５】
加えて、細長体１３は、端部２１ａ、２１ｂとスリット１９の中間部２２との間に配される舌部２３と、長手方向軸Ａに対し、スリット１９と舌部２３の各側に隣接して横向きに配される２つの脚部２５ａ、２５ｂを含む。前記脚部２５ａ、２５ｂは、スリット１９の端部２１ａ、２１ｂを通って伸びるおおむね横軸に沿っている舌部２３のフット部２４の幅ｗｂよりも小さい結合した幅（ｗla+ ｗlb）を有する。前記係合端部１７に隣接した細長体１３の幅ｗe もまた、フット部２４の幅ｗｂよりも小さく、ストラップ１０の係合端部１７がアンカー端部１８の方に引っ張られるとき、舌部２３と脚部２５ａ、２５ｂによって規定されている開口２６（図２に図示されている。）を係合端部１７が通ることを可能にする。図２に図示されている実施例には、舌部２３のフット部２４が沿って横たわっている、おおむね横軸は、長手方向軸Ａに対し、実質的に直交している。
【００１６】
図２は、ストラップ１０が取り付けられたループ材を有する基材から、係合端部１７が上方向に、また剥離力（たとえば、約１ｌｂｓ. ／ｉｎ．）を使ってアンカー端部１８の方に向かって後ろ方向に剥がされるのを図解している。スリット１９が剥離力を使って剥がされるとき、脚部２５ａ、２５ｂ及び基材のフック及びループ材の係合せん断力がそれぞれ、ストラップ１０にかかる剥離力よりも小さいので、係合端部とスリット１９との間のストラップの一部と、脚部２５ａ、２５ｂは、基材から離れて上方向及び後方向に付勢される。しかしながら、ストラップ１０の幅を横切る舌部２３のフット部２４における係合せん断力は（たとえば、約２４ｌｂｓ. ／ｉｎ．）は、剥離力よりも大きく、舌部２３と舌部２３のフット部２４とアンカー端部１８との間のストラップ１０の一部を含むストラップ１０の一部の、基材からの離脱を防ぐ。従って、基材に対しストラップ１０を固定するための更なる接着方法は必要なくなる。加えて、様々な実施例によると、舌部２３によって、ストラップ１０の係合端部１７の下面１４が、ストラップ１０の開口２６を通りやすくなり、基材に対しストラップ１０を両手で取り付ける必要性を避けることが可能になる。
【００１７】
図１に示されるスリット１９の中間部２２は、おおむね弓形を有する。しかしながら、図３において示されているような、別の実施例では、スリット３９の中間部４２と舌部４３のフット部４４は、ストラップの３０の係合端部３７がアンカー端部３８の方に向かって引っ張られるとき、おおむね三角形状の開口（図示せず）を形成している。また更に別の実施例では、図４に示されるように、ストラップの係合端部５７がアンカー端部５８の方に向かって引っ張られるとき、スリット５９の中間部６２と舌部６３のフット部６４は、おおむね四角形状の開口を形成している。
【００１８】
図５に示される実施例では、ストラップ７０は、第１スリット７９と第２スリット８９を規定する細長体７３を含んでいる。第１スリット７９は、スリット７９の端部８１ａ、８１ｂが、細長体７３の長手方向軸Ｂに沿った、スリット７９の中間部８２に対し、アンカー端部７８に向かって配されているという点において、図１〜４に関連して上述したスリットと同様であるかもしれない。しかしながら、第２スリット８９は、長手方向軸Ｂに沿ったスリット８９の中間部９２に対して、係合端部７７に向かって配されている２つの端部９１ａ、９１ｂを含んでいる。ある実施例によると、第２スリット８９を持つことによって、ユーザーが、ストラップ７０のアンカー端部７８を使って、１以上の対象物の周囲にストラップ７０を取り付けることを試みることを防ぐ。
【００１９】
様々な実施例によると、ストラップ１０はナイロン、ポリエステル、ＨＤＰＥ、ビニール、あるいはその他の適切な材料から形成される。ある実施例では、ストラップ１０と複数のフックは一体に形成される。加えて、上述した実施例は、下面の少なくとも一部に沿ってフックファスナーを含んでいるが、他の実施例では、ストラップの下面は、フックの領域と係合するためのループ材からなることも可能である。
【００２０】
代わりの実施例では（図示せず）、ストラップの下面の少なくとも一部は、フックの領域を含むことも可能である。また、上面の少なくとも一部は、ループ材を含むことも可能である。ユーザーが物品の周りにストラップの係合端部を包んで、スリットを通して係合端部を引っ張ったとき、係合端部の上面はスリットの上のストラップの下面の上に係合可能である。或いは、係合端部の下面は、物品の周りに包まれ、スリットを通して引っ張られ、舌部の上面の上で係合されるかもしれない。同様に、さらに別の実施例では、ストラップの上面の少なくとも一部はフックの領域を含み、下面の少なくとも一部はループ材を含むことも可能である。
【００２１】
次に、基材を有する本発明のストラップ取付製品を詳細に説明する。
様々な実施例によると、フックアンドループファスナーの取付製品は、ファスニングストラップを有する基材に隣接した１以上の対象物を固定するために提供される。図６Ａ〜６Ｂに示される実施例において示されているように、取付製品は、上述され、図１及び２において図示されているように、基材１００とファスニングストラップ１０を含んでいる。基材１００は上面１１２を含み、上面１１２の少なくとも一部は、ファスニングストラップ１０の下面１４上の複数のフックを係合するためのループ材を規定している。前記１以上の対象物２００、たとえば、ストラップ１０及びストラップ基材１００に隣接したカテーテルなどを固定するために、１以上の対象物２００はストラップ１０の舌部２３のフット部２４に隣接して配される。ストラップ１０の係合端部１７は、図６Ａに図示されているように、ストラップ基材１００からアンカー端部１８の方に向けて上方向に引っ張られ、係合端部１７はそこで、図６Ｂに図示されているように、舌部２３のフット部２４と脚部２５ａ、２５ｂとによって規定された開口２６を通って、１以上の対象物２００と舌部２３との間を通り抜ける。係合端部１７はそこで、１以上の対象物２００の周囲にストラップ１０を固定するために、ストラップ１０の長手方向軸Ａの方向に、舌部２３から引き離され、そして開口２６を通った細長体１３の下面１４の少なくとも一部は、図６Ｃに図示されているように、ストラップ基材１００の上に係合する。
【００２２】
ある実施例では、たとえば、カテーテルが組立によって、保持されているときなど、基材１００はその下面（図示せず）上に、接着剤を含んでおり、患者の皮膚にストラップ基材１００をあてがうために使用されうる。しかしながら、様々な他の実施例では、基材１００は、例えば、取付製品がケーブルあるいはワイヤーをともに保持するために利用されるとき、壁や電化製品といった別の対象物に接着することも可能である。
加えて、上記に述べたとおり、様々な他の実施例では、基材１００は複数のフックを含み、ストラップ１０の下面は、ループ材を含むことも可能である。
【００２３】
ある実施例では、図７Ａ及び７Ｂにおいて図示されているように、基材３００はおおむね四角形状の孔３０２を規定しており、ストラップのアンカー端部の下面は、基材３００の上面に係合される。ある実施例では、ストラップの舌部は孔３０２の第１側に隣接して位置決めされる。ストラップと基材３００に隣接した１以上の対象物４００を固定するためには、１以上の対象物４００はおおむね、アンカー端部に隣接したストラップの長手方向軸を横切って位置決めされ、ストラップの係合端部は、１以上の対象物４００を超えて基材３００の下に包まれる。係合端部は、そこで基材３００の下面から基材３００の上面に向かって孔３０２を通じて通り抜けて、孔３０２から引っ張られ、その結果、ストラップは実質的に１以上の対象物４００の周りにしっかりと巻きつく。ストラップが１以上の対象物４００から外れるのを防ぐために、孔３０２から引っ張られたストラップの下面が、孔３０２の第１側と反対である孔３０２の第２側に隣接した基材３００の上面に対して係合される。或いは、図６Ａ〜６Ｃに関連して記載されているように、ストラップは１以上の対象物４００に包まれ、１以上の対象物４００と舌部との間を通り抜け、ストラップの開口から引っ張られ、基材３００の上面に係合される。加えて、上述した孔３０２は、おおむね四角であると記載されているが、そこを通して使用されるストラップの係合端部を受けることが可能な他のどのような形状も有することが可能である。
【００２４】
結論
本発明は、開示された実施例を参照して特に詳細に記載したが、添付した請求項に記載されている発明の精神及び範囲内であれば、多くのバリエーション及び修正が可能であることは理解できるであろう。
【図面の簡単な説明】
【００２５】
【図１】本発明の代表的な実施形態に係るファスニングストラップの上部から見た斜視図である。
【図２】本発明の一実施例による、上方向及び後方に剥がされているの同ファスニングストラップの上部斜視図を図解している。
【図３】本発明の他の実施例によるファスニングストラップを上部から見た斜視図である。
【図４】本発明の更に他の実施例によるファスニングストラップを上部から見た斜視図である。
【図５】本発明の更に他の実施例によるファスニングストラップを上部から見た斜視図である。
【図６】本発明の様々な実施例による基材にカテーテルを固定するための、図２に示されたストラップを係合させる手順を示す手順説明図である。
【図７Ａ】本発明の別の実施例による基材を上部から見た平面図である。
【図７Ｂ】本発明の一実施例による図７Ａに図示された基材の上部平面図と、基部に固定されたファスニングストラップを図解している。
【図８】従来のファスニングストラップの取付製品を上部から見た斜視図である。
【符号の説明】
【００２６】
１０，３０，７０        ファスニングストラップ
１２                    上面
１３，７３              細長体
１４                    下面
１７，３７，５７，７７  係合端部
１８，３８，５８，７８  アンカー端部
１９，３９，５９        スリット
２１ａ，２１ｂ          （スリットの）端部
２２，４２，６２，８２，９２  中間部
２３，４３，６３        舌部
２４，４４，６４        フット部
２５ａ，２５ｂ          脚部
２６                    開口
７９                    第１スリット
８１ａ，８１ｂ          スリット端部
８９                    第２スリット
９１ａ，９１ｂ          スリット端部
１００，３００          基材
１１２                  （基材の）上面
２００，４００          対象物
３０２                  孔
５００                  ファスニングストラップ
５０１                  孔
５０２                  係合端部
【図１】
2009039537.tif 000003
【図２】
2009039537.tif 000004
【図３】
2009039537.tif 000005
【図４】
2009039537.tif 000006
【図５】
2009039537.tif 000007
【図６】
2009039537.tif 000008
【図７Ａ】
2009039537.tif 000009
【図７Ｂ】
2009039537.tif 000010
【図８】
2009039537.tif 000011